(57)【要約】【課題】軸受内のグリースを保持するとともに、潤滑性を向上させて焼付きの発生を防止することが可能な玉軸受用保持器及び玉軸受を提供する。【解決手段】半球状に膨出する玉保持部２ａが円周方向の複数箇所に所定間隔で形成された環状保持板１a，１ｂと、一対の環状保持板１a，１ｂの各玉保持部２ａを開口側で対峙させて形成したポケット３に、それぞれ玉２を保持させて組み合わせることにより構成される玉軸受用波形保持器１において、環状保持板１a，１ｂの各玉保持部２ａの底部７ａにグリース溜まり６となる穴部６ａを凹設した。【選択図】図３
2015031344.tif 000002
【特許請求の範囲】
【請求項１】
半球状に膨出する玉保持部が円周方向の複数箇所に所定間隔で形成された環状保持板と、一対の前記環状保持板の前記各玉保持部を開口側で対峙させて形成したポケットに、それぞれ玉を保持させて組み合わせることにより構成される玉軸受用波形保持器において、
前記環状保持板の前記各玉保持部の底部にグリース溜まりとなる穴部を凹設したことを特徴とする玉軸受用波形保持器。
【請求項２】
請求項１に記載の玉軸受用波形保持器の製造方法であって、
半球状の凸型と凹型でプレス成形加工することにより、前記環状保持板の円周方向の複数箇所を所定間隔ごとに半球状に膨出させて前記玉保持部を形成するとともに、前記玉保持部の底部をエンボス加工することによりグリース溜まりとなる前記穴部を形成したことを特徴とする玉軸受用波形保持器の製造方法。
【発明の詳細な説明】
【技術分野】
【０００１】
本発明は、玉軸受の玉を保持する玉軸受用波形保持器及びこの製造方法に関する。
【背景技術】
【０００２】
従来、回転軸を支持する軸受として玉軸受が広く使用されている。玉軸受は、外周面に内輪軌道面を有する内輪と、内周面に外輪軌道面を有する外輪とを同心に配置し、内輪軌道面と外輪軌道面との間に転動体である玉を複数配置し、内輪軌道面と外輪軌道面との間の側面に配置した保持器により玉を保持する構成となっている。この保持器には、環状の金属板のプレス成形加工によって得られた一対の環状保持板からなる玉軸受用波形保持器がある。玉軸受用波形保持器は、この一対の環状保持板の各玉保持部を開口側で対峙させて形成したポケットにそれぞれ玉を保持させて、各玉保持部の間の柱部をリベットで固定している。このようにして、内外輪が玉を介して相対回転自在に支持されることにより、玉軸受が構成されている。
【０００３】
ところで、玉軸受は高速回転域において、遠心力によって保持器の変形が発生し、ポケット内面が玉に強く接触すると、その接触部での摩擦により発熱したり回転トルクが増大する場合がある。このため、玉の摺接部にグリースを供給して滑り摩擦を低減するとともに、軸受内のグリースを保持して、グリースの減少による潤滑性の低下を防止している。例えば、特許文献１では、保持器のポケットの両端部に径方向に延びる溝状のグリース溜りを形成することにより軸受内のグリースを保持して、高速回転時の発熱や回転トルクの増大を抑制する玉軸受が開示されている。
【先行技術文献】
【特許文献】
【０００４】
【特許文献１】特開２００３−３４３５６７号公報
【発明の概要】
【発明が解決しようとする課題】
【０００５】
しかしながら、特許文献１の玉軸受では、玉に付着したグリースが保持器のポケットの径方向及び周方向の縁部のエッジ部に掻き取られることにより保持器の外部に排出され、軸受内のグリースが減少する場合がある。また、冷間時のグリースの粘性の高い状態においては、玉に付着したグリースが保持器のエッジ部に掻き取られやすくなることから、外部へ排出される量が増加することが知られている。このようにして軸受内のグリースが減少すると、潤滑性が低下して焼付きが発生するという問題があった。
【０００６】
本発明は、上記問題点を解決するためになされたものであって、その目的は、軸受内のグリースを保持するとともに、潤滑性を向上させて焼付きの発生を防止することが可能な玉軸受用波形保持器及び玉軸受を提供することにある。
【課題を解決するための手段】
【０００７】
請求項１に係わる発明は、半球状に膨出する玉保持部が円周方向の複数箇所に所定間隔で形成された環状保持板と、一対の前記環状保持板の前記各玉保持部を開口側で対峙させて形成したポケットに、それぞれ玉を保持させて組み合わせることにより構成される玉軸受用波形保持器において、前記環状保持板の前記各玉保持部の底部にグリース溜まりとなる穴部を凹設したことを特徴とする。
【０００８】
上記のように構成した請求項１の発明によれば、玉保持部の底部に凹設されたグリース溜まりとなる穴部にグリースを保持することができるので、グリースが外部へ排出されることによる軸受内のグリースの減少を防ぐことができる。また、このグリース溜まりの穴部に保持されたグリースを近傍の玉の摺接部に再供給することができるので、潤滑性を向上させて焼付きの発生を防止することができる。
【０００９】
請求項２に係わる発明は、請求項１に記載の玉軸受用波形保持器の製造方法であって、半球状の凸型と凹型でプレス成形加工することにより、前記環状保持板の円周方向の複数箇所を所定間隔ごとに半球状に膨出させて前記玉保持部を形成するとともに、前記玉保持部の底部をエンボス加工することによりグリース溜まりとなる前記穴部を形成したことを特徴とする。
【００１０】
上記のように構成した請求項２の発明によれば、環状保持板は、半球状の凸型と凹型の金型でプレス成形加工することにより、環状保持板の円周方向の複数箇所を所定間隔ごとに半球状に膨出させて玉保持部を形成している。そして、玉保持部を形成すると同時に玉保持部の底部をエンボス加工することによりグリース溜まりとなる穴部を形成している。これらの加工は研削等を不要として、プレス機により容易におこなうことができるので、環状保持板の製造コストを抑えることができる。また、使用する金型を変更することで、穴部の形状や配置パターンを変更することができる。
【発明の効果】
【００１１】
本発明によれば、軸受内のグリースを保持するとともに、潤滑性を向上させて焼付きの発生を防止することが可能な玉軸受用波形保持器及び玉軸受を提供することができる。
【図面の簡単な説明】
【００１２】
【図１】本発明の実施形態に係わる玉軸受用波形保持器を用いた玉軸受の側面図である。
【図２】図１の玉軸受用波形保持器における玉保持部のＡ−Ａ線矢示拡大断面図である。
【図３】（a）は図２の玉軸受用波形保持器における玉保持部の拡大断面図であり、（ｂ）は図２の玉軸受用波形保持器における玉保持部の変形例となる拡大断面図である。
【発明を実施するための形態】
【００１３】
以下、本発明の実施形態を図面に従って説明する。
図１は本発明の実施形態に係わる玉軸受用波形保持器１を用いた玉軸受１００の側面図を示すものであり、図２は図１のＡ−Ａ線矢示拡大断面図である。図３（a）は図２の玉軸受用波形保持器１における玉保持部２ａの拡大断面図であり、図３（ｂ）はその変形例である。
【００１４】
図１に示すように、玉軸受１００は、外周面に内輪軌道面１４を有する内輪１２と、内周面に外輪軌道面１３を有する外輪１１と、内輪軌道面１４と外輪軌道面１３との間に転動可能に配置された複数の玉２と、内外両輪間に配置され、複数の玉２を保持する玉軸受用波形保持器１とにより構成されている。
【００１５】
玉軸受用波形保持器１は、環状の金属板のプレス成形加工によって波形に形成された一対の環状保持板１a，１ｂから構成されている。環状保持板１a，１ｂは、半球状の玉保持部２ａが周方向の複数箇所に所定間隔に形成されている。
【００１６】
図２に示すように、玉軸受用波形保持器１は、一対の環状保持板１a，１ｂの玉保持部２ａを、開口側で対峙させて形成されるポケット３に、玉２を保持させて組み合わせることにより構成されている。環状保持板１a，１ｂは、隣り合うポケット３間に設けられた柱部５をリベット４で結合し固定されている。
【００１７】
ポケット内面３ａは、玉２の曲率半径よりも僅かに大きな曲率半径の球面の一部である。従って、玉保持部２ａに玉２が保持された状態において、ポケット内面３ａと玉２の転動面との接触面積は、ポケット内球面３ａの底部７ａで最も大きく、ポケット内面３ａの周縁部７ｂに行くに従って小さくなっている。また、ポケット内面３ａには、グリース溜まり６となる穴部６ａが凹設されている。
【００１８】
図３（a）に示すように、一対の環状保持板１a，１ｂのポケット内球面３ａには、グリース溜まり６となる穴部６ａが、底部７ａに形成されている。この穴部６ａは、玉径に対して十分に小さい円形に形成されている。
【００１９】
玉軸受用波形保持器１の製造方法において、環状保持板１a，１ｂは、環状の金属板を半球状の凸型と凹型の金型でプレス成形加工することにより、環状保持板１a，１ｂの円周方向の複数箇所を所定間隔ごとに半球状に膨出させて玉保持部２ａを形成している。
【００２０】
この金型には、グリース溜まり６となる穴部６ａを形成する凸部が玉保持部２ａの底部７ａに形成されており、プレス成形加工することにより、玉保持部２ａと穴部６ａが同時に形成される。この穴部６ａを凹設するエンボス加工は、環状保持板１a，１ｂの板厚をほとんど変えることがないので、保持器の剛性に影響を与えずに加工することができる。
【００２１】
上記のように構成される玉軸受用波形保持器１の動作を、図１に基づいて説明する。
玉２は、内輪軌道面１４及び外輪軌道面１３を転動し、ポケット３内で自転して、内輪１２の周囲を公転する。また、玉軸受用保持器１は玉２の公転に追従して、内輪１２の周囲を回転する。内輪１２の外周面と外輪１１の内周面との間にはグリースが供給されて、軌道面や玉表面に潤滑を与えている。
【００２２】
玉２の転動とともに、玉２は玉保持部２ａと摺接し、グリースは玉保持部２ａの底部７ａに凹設されたグリース溜まり６となる穴部６ａに保持される。この穴部６ａに保持されたグリースは、近傍の玉２の摺接部に再供給される。
【００２３】
グリース溜まり６の穴部６ａが凹設された玉保持部２ａの底部７ａは、玉２の周速が最も遅いので、グリースが溜まりやすく、グリースを保持するのに好適である。また、玉２との接触面積が大きいので、グリースの再供給も効率的におこなうことができる。
【００２４】
このように、本実施形態の玉軸受用波形保持器１は、玉保持部の底部に凹設されたグリース溜まり６となる穴部６ａにグリースを保持することができるので、グリースが外部へ排出されることによる軸受内のグリースの減少を防ぐことができる。また、このグリース溜まり６の穴部６ａに保持されたグリースを近傍の玉２の摺接部に再供給することができるので、潤滑性を向上させて焼付きの発生を防止することができる。
【００２５】
本発明は、上記実施形態に限定されるものではなく、特許請求の範囲に記載された発明の範囲内で適宜変更することが可能である。例えば、グリース溜まり６は、図３（ｂ）に示すように、底部７ａを中心に穴部６ａを玉２の自転方向に円周上に配置したパターンとしてもよい。
【００２６】
これにより、グリース溜まり６となる穴部６ａを複数形成することにより、より多くのグリースを保持することができる。また、玉２の自転方向に穴部６ａを配置することで、グリースの再供給を効率的におこなうことができる。また、上記実施形態では、穴部６ａは円形としているが、楕円等の別の形状としてもよい。
【符号の説明】
【００２７】
１：玉軸受用波形保持器、  １a，１ｂ：環状保持板、  ２：玉（転動体）、
２ａ：玉保持部、  ３：ポケット、  ３ａ：ポケット内面、  ４：リベット、
５：柱部、  ６：グリース溜まり、  ６ａ：穴部、  ７：エッジ部、
７ａ：底部、  ７ｂ：周縁部、  １１：外輪、  １２：内輪、  １３：外輪軌道面、
１４：内輪軌道面、  １００：玉軸受
【図１】
2015031344.tif 000003
【図２】
2015031344.tif 000004
【図３】
2015031344.tif 000005